(57)【特許請求の範囲】
【請求項１】
キャビネットの上のカウンターに設けた機器取り付け用開口からガス調理機器を落とし込んでガス調理機器をキャビネットに取り付け、カウンターに機器取り付け用開口の後方の位置で排気筒挿通穴を設け、ガス調理機器のグリルからの排気をカウンターの後部の上方に排気する排気筒を上排気筒と中排気筒と下排気筒とに３分割し、下排気筒をグリルと連通してガス調理機器の後面から突出するようにガス調理機器に装着し、中排気筒をガス調理機器の後方に配置して中排気筒の一端を下排気筒に接続すると共に中排気筒の他端を排気筒挿通穴に臨ませ、上排気筒を排気筒挿通穴の部分でカウンター上に立設すると共に上排気筒の下端と上記中排気筒の他端とを排気筒挿通穴の部分で接続して成ることを特徴とするビルトイン型ガス調理機器の排気構造。
【請求項２】
キャビネットのカウンターに機器取り付け用開口とこの機器取り付け用開口より後方に位置する排気筒挿通穴を設けておき、ガス調理機器のグリルからの排気をカウンターの後部の上方に排気する排気筒を上排気筒と中排気筒と下排気筒とで構成しておき、まず中排気筒を機器取り付け用開口から挿入して排気筒挿通穴の位置でカウンターの下に配置し、予め下排気筒をグリルと連通させてガス調理機器の後面から突出するように装着しておいたガス調理機器をカウンターの機器取り付け用開口から落とし込んでセットし、次いでガス調理機器の後面の開口からガス調理機器の後方に手を入れて中排気筒の一端を下排気筒に接続すると共に中排気筒の他端を排気筒挿通穴に臨ませて中排気筒を固定し、次いで排気筒挿通穴の上に上排気筒を配置して上排気筒の下端と上記中排気筒の他端とを排気筒挿通穴の部分で接続すると共に上排気筒を固定することを特徴とするビルトイン型ガス調理機器の排気部分の組み立て方法。
【請求項３】
排気筒挿通穴の下方の位置に中排気筒受け片を水平に設けておき、機器取り付け用開口から中排気筒を挿入して中排気筒を排気筒挿通穴の下に位置させた状態で中排気筒の取り付け片を中排気筒受け片に引っ掛けて中排気筒を仮置きし、中排気筒を下排気筒に接続した後に取り付け片を中排気筒受け片に固定することを特徴とする請求項２記載のビルトイン型ガス調理機器の排気部分の組み立て方法。
【発明の詳細な説明】
【０００１】
【発明の属する技術分野】
本発明はカウンターの機器取り付け用開口から落とし込んでガス調理機器が取り付けられるビルトイン型ガス調理機器において、ガス調理機器のグリルの排気をガス調理機器より後方の位置からカウンターの上方に排気する排気構造及びその部分の組み立て方法に関するものである。
【０００２】
【従来の技術】
一般にガスバーナとグリルとを有する所謂グリル付ガスコンロと称されるガス調理機器でグリルの排気をする場合、ガス調理機器の上面の後部に排気口を設け、ガス調理機器内に組み込んだ排気筒でグリルと排気口とを連通させてあった。
【０００３】
【発明が解決しようとする課題】
ところが上記のようにガス調理機器の上面の排気口から排気する構造にするとガス調理機器の上面の調理スペースが狭くなるという問題があり、またガス調理機器が大型になってコストアップになるという問題がある。
【０００４】
この問題を解決するものとして、カウンターに機器取り付け用開口とこの機器取り付け用開口の後方の位置で排気筒挿通穴を設けておき、機器取り付け用開口からガス調理機器を落とし込んで装着し、ガス調理機器のグリルと連通する排気筒を排気筒挿通穴に挿通して排気筒の上端をカウンターの上方に突出させることが考えられるが、このような構造の場合、排気筒の施工がカウンターの上からすることできず（カウンターの下にもぐり込んだりして施工しなければならない）、施工がしにくいと共に施工が複雑になるという問題があった。
【０００５】
本発明は上記の点に鑑みてなされたものであり、ガス調理機器から分離してガス調理機器の後方から排気することができてガス調理機器の調理スパースが狭くならないと共にガス調理機器が大型にならなく、またグリルの排気をする排気筒の取り付け施工がカウンター上から容易にできるビルトイン型ガス調理機器の排気構造及びその組み立て方法を提供することを課題とするものである。
【０００６】
【課題を解決するための手段】
上記課題を解決するための本発明の請求項１のビルトイン型ガス調理機器の排気構造は、キャビネット１の上のカウンター２に設けた機器取り付け用開口３からガス調理機器４を落とし込んでガス調理機器４をキャビネット１に取り付け、カウンター２に機器取り付け用開口３の後方の位置で排気筒挿通穴５を設け、ガス調理機器４のグリル６からの排気をカウンター２の後部の上方に排気する排気筒７を上排気筒７ａと中排気筒７ｂと下排気筒７ｃとに３分割し、下排気筒７ｃをグリル６と連通してガス調理機器４の後面から突出するようにガス調理機器４に装着し、中排気筒７ｂをガス調理機器４の後方に配置して中排気筒７ｂの一端を下排気筒７ｃに接続すると共に中排気筒７ｂの他端を排気筒挿通穴５に臨ませ、上排気筒７ａを排気筒挿通穴５の部分でカウンター２上に立設すると共に上排気筒７ａの下端と上記中排気筒７ｂの他端とを排気筒挿通穴５の部分で接続して成ることを特徴とする。
【０００７】
また本発明の請求項２のビルトイン型ガス調理機器の排気部分の組み立て方法は、キャビネット１のカウンター２に機器取り付け用開口３とこの機器取り付け用開口３より後方に位置する排気筒挿通穴５を設けておき、ガス調理機器４のグリル６からの排気をカウンター２の後部の上方に排気する排気筒７を上排気筒７ａと中排気筒７ｂと下排気筒７ｃとで構成しておき、まず中排気筒７ｂを機器取り付け用開口３から挿入して排気筒挿通穴５の位置でカウンター２の下に配置し、予め下排気筒７ｃをグリル６と連通させてガス調理機器４の後面から突出するように装着しておいたガス調理機器４をカウンター２の機器取り付け用開口３から落とし込んでセットし、次いでガス調理機器４の後面の開口からガス調理機器４の後方に手を入れて中排気筒７ｂの一端を下排気筒７ｃに接続すると共に中排気筒７ｂの他端を排気筒挿通穴５に臨ませて中排気筒７ｂを固定し、次いで排気筒挿通穴５の上に上排気筒７ａを配置して上排気筒７ａの下端と上記中排気筒７ｂの他端とを排気筒挿通穴５の部分で接続すると共に上排気筒７ａを固定することを特徴とする。
【０００８】
上記請求項１及び請求項２のように構成したことにより、機器取り付け用開口３に落とし込んで装着したガス調理機器４のグリル６の排気を機器取り付け用開口３の後方に設けた排気筒挿通穴５に挿通した排気筒７で排気でき、排気のためにガス調理機器４の上面の調理スペースが狭くなったり、ガス調理機器４の大きさが大きくなってコストアップになったりしない。また中排気筒７ｂを機器取り付け用開口３から挿入して排気筒挿通穴５の位置でカウンター２の下に配置し、予め下排気筒７ｃをグリル６と連通させてガス調理機器４の後面から突出するように装着しておいたガス調理機器４をカウンター２の機器取り付け用開口３から落とし込んでセットし、次いでガス調理機器４の後面の開口からガス調理機器４の後方に手を入れて中排気筒７ｂの一端を下排気筒７ｃに接続すると共に中排気筒７ｂを他端を排気筒挿通穴５に臨ませて中排気筒７ｂを固定し、次いで排気筒挿通穴５の上に上排気筒７ａを配置して上排気筒７ａの下端と上記中排気筒７ｂの他端とを排気筒挿通穴５の部分で接続すると共に上排気筒７ａを固定することにより、カウンター２の上から排気筒７の取り付け施工ができるものであって、排気筒７の取り付け施工が容易にできる。
【０００９】
また本発明の請求項３のビルトイン型ガス調理機器の排気部分の組み立て方法は、請求項２において、排気筒挿通穴５の下方の位置に中排気筒受け片８を水平に設けておき、機器取り付け用開口３から中排気筒７ｂを挿入して中排気筒７ｂを排気筒挿通穴５の下に位置させた状態で中排気筒７ｂの取り付け片９を中排気筒受け片８に引っ掛けて中排気筒７ｂを仮置きし、中排気筒７ｂを下排気筒７ｃに接続した後に取り付け片９を中排気筒受け片９に固定することを特徴とする。機器取り付け用開口３から中排気筒７ｂを挿入して排気筒挿入穴５の下に配置するとき中排気筒受け片８の上に取り付け片９を載せて所定位置に仮置きでき、機器取り付け用開口３からガス調理機器４を落とし込んだ後、下排気筒７ｃと中排気筒７ｂの一端とを容易に位置合わせして接続することができる。また中排気筒７ｂを下排気筒７ｃに接続した後に中排気筒７ｂを確実に固定できる。
【００１０】
【発明の実施の形態】
図１、図２に示すようにガス調理機器４は所謂グリル付ガスコンロと称されるものであり、複数個のガスバーナ１０とグリル６を有している。このガス調理機器４はビルトイン型であり、角形のケーシング１１内にガスバーナ１０やグリル６を組み込んである。ケーシング１１の上面にはトッププレート１２を着脱自在に載置してあり、トッププレート１２の上面から露出するガスバーナ１０のバーナトップ１０ａの周囲には五徳１５を着脱自在に載設してある。ケーシング１１の前面板１１ａには操作つまみ１４やグリル６の前面開口を開閉する前面扉１５を設けてある。
【００１１】
キッチンのキャビネット１の上面にはカウンター２を載設してあり、このカウンター２には上記ガス調理機器４を嵌め込むための機器取り付け用開口３と、この機器取り付け用開口３の後方に位置する排気筒挿通穴５を設けてある。カウンター２の後端には上方に立ち上がるように取り付け枠１６を立設してあり、この取り付け枠１６をキッチンの壁面１７に固定してある。取り付け枠１６の上端と排気筒挿通穴５よりやや下方の位置まで至るように壁面１７に沿って金属板よりなる防熱板１８を配置してあり、防熱板１８を取り付け枠１６や壁面１７に固定してある。この防熱板１８には排気筒挿通穴５より下方の位置で左右に所定の間隔を隔てて断面略逆Ｌ字状の金具を固定してあり、この金具にて水平な中排気筒受け片８を突設してある。防熱板１８の上部には所定の間隔を隔てて一対の隆起部１９を設けてあり、この隆起部１９には取り付け孔１９ａを穿孔してある。また防熱板１８の上記隆起部１９と中排気筒受け片８との間には隆起部１９と同じ高さの突曲部３４を設けてある。
【００１２】
ガス調理機器４のグリル６からカウンター２の上面の上方までの排気をする排気筒７は図３に示すように上排気筒７ａと中排気筒７ｂと下排気筒７ｃとに３分割してある。上排気筒７ａの上端には排出口２０を設けてあり、上排気筒７ａの下端には接続口２１を設けてある。上排気筒７ａの上部の両側には取り付け片２２を設けてあり、この取り付け片２２には取り付け孔２３を穿孔してある。この取り付け孔２３は大径孔２３ａと小径孔２３ｂとを有するだるま孔状である。中排気筒７ｂの一端には上方に開口せる接続口２４を設けてあり、中排気筒７ｂの他端には側方に開口せる接続口２５を設けてある。中排気筒７ｂの一端の手前の両側には取り付け片９を設けてあり、取り付け片９にはＵ字状の切り欠き９ａを穿設してある。中排気筒７ｂの接続口２５の下部の両側にも取り付け片２６を設けてあり、この取り付け片２６には取り付け孔２６ａを設けてある。中排気筒７ｂの接続口２５の上部の中央には切り欠き２７を設けてある。下排気筒７ｃの一端には接続口２８を設けてあり、下排気筒７ｃの他端には連通口２９を設けてある。下排気筒７ｃの接続口２８の中央には取り付け孔３０を穿孔してある。また下排気筒７ｃの両側の下部には取り付け片３１を設けてあり、取り付け片３１には取り付け孔３１ａを穿孔してある。上記上排気筒７ａ、中排気筒７ｂ、下排気筒７ｃのうち下排気筒７ｃだけが予めガス調理機器４に取り付けてある。このとき下排気筒７ｃの連通口２９をグリル６に連通させ、取り付け片３１の取り付け孔３１ａに挿通したビス３２にて下排気筒７ｃをガス調理機器４に取り付けてあり、下排気筒７ｃの接続口２８をガス調理機器４の後面から突出させてある。この下排気筒７ｃの取り付け孔３０には予めビス３３を螺入してある。
【００１３】
上記のように構成せるガス調理機器４を組み込むと共に排気筒７を組み立てるにあたっては次のように行う。ガス調理機器４を組み込む前に、図６（ａ）に示すように機器取り付け用開口３から中排気筒７ｂを挿入して図６（ｂ）（ｃ）に示すように排気筒挿通穴６の下に中排気筒７ｂを配置する。このとき中排気筒７ｂの取り付け片９を中排気筒受け片８に載せて引っ掛けることで中排気筒７ｂを仮置きする。このとき中排気筒７ｂは斜めに傾斜するように宙吊りされる。中排気筒７ｂを上記のように仮置きした状態で図７に示すようにガス調理機器４を機器取り付け用開口３に落とし込んでガス調理機器４をセットする。このガス調理機器４を落とし込むとき設置用取っ手３５を手Ｈで持って行う。ガス調理機器４をセットした状態で図８に示すようにガス調理機器４の後面の両側の仕切り板３６ａ，３６ｂをビス３７を外すことで取り外し、後面を開放する。次いでカウンター２上からガス調理機器４の後面の開口を介してガス調理機器４の後面に両手を入れ、両手で中排気筒７ｂを掴み、図９に示すように中排気筒７ｂを上記取り付け片９を支点として回転させて中排気筒７ｂを水平と平行にする。そして中排気筒７ｂの接続口２５を下排気筒７ｃの接続口２８に被嵌して接続する。このとき中排気筒７ｂの切り欠き２７を取り付け孔３０のビス３３に係止して仮固定し、中排気筒７ｂの取り付け片２６の取り付け孔２６ａに挿通したビス３８をガス調理機器４に螺合して仮固定する。また取り付け片９の切り欠き９ａを介してビス３９を中排気筒受け片８の取り付け孔に螺合して中排気筒７ｂを仮固定する。次いでガス調理機器４をカウンター２に所定の状態にセッテイングして固定した後、ビス３３，３８，３９を本締めして中排気筒７ｂを本固定する。そして仕切り板３６ａ，３６ｂを元の状態に取り付ける。また隆起部１９の取り付け孔１９ａには予めビス４０を螺合してあり、図１０に示すように排気筒挿通穴５の上に上排気筒７ａを垂直に配置し、ビス４０と取り付け片２２の取り付け孔２３の大径孔２３ａとを対応させてビス４０を大径孔２３ａに挿入し、上排気筒７ａを下方にスライドさせて上排気筒７ａの接続口２１を中排気筒７ｂの接続口２４に被嵌して接続し、ビス４０と小径孔２３ｂとを対応させた状態でビス４０を本締めして上排気筒７ａを本固定する。このとき上排気筒７ａの後面が突起部２２に当たって防熱板１８と上排気筒７ａの後面との間に所定の間隔が隔てられる。このように上排気筒７ａを固定した後、上排気筒７ａや防熱板１８や取り付け枠１６の前面を覆うように化粧カバー４１が被着される。この化粧カバー４１の上部には排気口４２が設けられており、上排気筒７ａの排出口２０と排気口４２とが連通している。
【００１４】
【発明の効果】
本発明の請求項１及び請求項２の発明は、叙述の如く構成されているので、機器取り付け用開口に落とし込んで装着したガス調理機器のグリルの排気を機器取り付け用開口の後方に設けた排気筒挿通穴に挿通した排気筒で排気できるものであって、排気のためにガス調理機器の上面の調理スペースが狭くなったり、ガス調理機器の大きさが大きくなってコストアップになったりしないものであり、また中排気筒を機器取り付け用開口から挿入して排気筒挿通穴の位置でカウンターの下に配置し、予め下排気筒をグリルと連通させてガス調理機器の後面から突出するように装着しておいたガス調理機器をカウンターの機器取り付け用開口から落とし込んでセットし、次いでガス調理機器の後面の開口からガス調理機器の後方に手を入れて中排気筒の一端を下排気筒に接続すると共に中排気筒の他端を排気筒挿通穴に臨ませて中排気筒を固定し、次いで排気筒挿通穴の上に上排気筒を配置して上排気筒の下端と上記中排気筒の他端とを排気筒挿通穴の部分で接続すると共に上排気筒を固定することにより、カウンターの上から排気筒の取り付け施工ができるものであって、排気筒の取り付け施工が容易にできるものである。
【００１５】
また本発明の請求項３の発明は、機器取り付け用開口から中排気筒を挿入して排気筒挿入穴の下に配置するとき中排気筒受け片の上に取り付け片を載せて所定位置に仮置きでき、機器取り付け用開口からガス調理機器を落とし込んだ後、下排気筒と中排気筒の一端とを容易に位置合わせして接続することができるものであり、また中排気筒を下排気筒に接続した後に中排気筒を確実に固定できるものである。
【図面の簡単な説明】
【図１】本発明の実施の形態の一例の組み立て状態の側面から見た断面図である。
【図２】同上の全体を示す概略斜視図である。
【図３】同上の排気筒を示す分解斜視図である。
【図４】同上の取り付け枠や防熱板を示す斜視図である。
【図５】同上の防熱板を示し、（ａ）は正面図、（ｂ）は側面図である。
【図６】同上の組み立て手順の中排気筒をセットする状態を示し、（ａ）は中排気筒を挿入する状態を示す側面から見た断面図、（ｂ）は中排気筒をセットした状態を示す側面から見た断面図、（ｃ）は中排気筒をセットした状態の要部を拡大せる側面から見た断面図である。
【図７】同上の組み立て手順のガス調理機器を落とし込む状態を示す側面から見た断面図である。
【図８】同上の組み立て手順の仕切り板を外した状態を示す斜視図である。
【図９】同上の組み立て手順の中排気筒を取り付ける状態を示し、（ａ）は斜視図、（ｂ）は側面から見た断面図、（ｃ）は（ａ）の要部を拡大せる斜視図、（ｄ）は中排気筒を中排気筒受け片に固定した部分を拡大せる断面図である。
【図１０】同上の組み立て手順の上排気筒を取り付ける状態を示し、（ａ）は上排気筒の仮固定する状態の斜視図、（ｂ）は上排気筒と中排気筒とを接続する状態を説明する側面から見た断面図、（ｃ）は上排気筒と中排気筒を接続した状態の側面から見た断面図、（ｄ）は上排気筒を本固定する状態を示す斜視図である。
【符号の説明】
１  キャビネット
２  カウンター
３  機器取り付け用開口
４  ガス調理機器
５  排気筒挿通穴
６  グリル
７  排気筒
７ａ  上排気筒
７ｂ  中排気筒
７ｃ  下排気筒
８  中排気筒受け片
９  取り付け片
【図１】
0004098924.tif 000002
【図２】
0004098924.tif 000003
【図３】
0004098924.tif 000004
【図４】
0004098924.tif 000005
【図５】
0004098924.tif 000006
【図６】
0004098924.tif 000007
【図７】
0004098924.tif 000008
【図８】
0004098924.tif 000009
【図９】
0004098924.tif 000010
【図１０】
0004098924.tif 000011